(57)【要約】【課題】コンパクトに製作してコスト節減ができ設置が容易ながらも、地絡事故や雷撃侵入時にも抑制装置を保護すると共に事故電流を大地に円滑に流すようにすることにより、電力事故が発生することを防止できる地中ケーブルのシース電流抑制装置を提供すること。【解決手段】鉄心のまわり部にコイルを多数回巻線したリアクターを送電線路のシース線に連結設置するシース電流抑制装置において、前記リアクターの入力側に直列に連結設置するヒューズと、前記リアクターに並列に連結する避雷器を具備して構成して、普段は、シース電流を抑制して電力損失を減らし、雷撃侵入や地絡事故時には抑制装置を保護すると共に侵入した電流を大地に円滑に流れるようにして電力事故発生を防止するようにした。【選択図】図１
2005261178.tif 000002
【特許請求の範囲】
【請求項１】
鉄心の周囲にコイルを多数回巻線したリアクターを送電線路のシース線に連結設置するシース電流抑制装置において、
前記リアクターの入力側に直列に連結設置するヒューズと、
前記リアクターに並列に連結する避雷器を具備して構成したことを特徴とする地中ケーブルのシース電流抑制装置。
【請求項２】
前記ヒューズの容量が、５ｋＡ乃至２０ｋＡであることを特徴とする、請求項１記載の地中ケーブルのシース電流抑制装置。
【請求項３】
前記リアクター、ヒューズ及び避雷器は、外ケース内部に収納して設置することを特徴とする、請求項１記載の地中ケーブルのシース電流抑制装置。
【発明の詳細な説明】
【技術分野】
【０００１】
本発明は、地中送電線路のシース電流抑制装置に関するものである。より詳細には、普段はシース電流を抑制して電力損失を減らし、雷撃侵入や地絡事故の時には抑制装置を保護するとともに侵入した電流を大地に円滑に流すようにして電力事故の発生を防止する地中ケーブルのシース電流抑制装置に関するものである。
【背景技術】
【０００２】
一般的に、電力系統の送電方式は、都市の郊外または農漁村地域の場合、架空線形態であり、大都市中心部や新都市などでは地中に埋設されたケーブルを通じて電力を供給している。また、このような送電線路は安全のために一定区間ごとにシース線を通じて大地に接地し、地中送電線路の場合には系統事故などによってシース線の電位が上昇することを防止するためにケーブル接続区間ごとにシース線を一括的に接地する一括接地方式で運営されている。したがって、このような一括接地方式は送電線路に電流が流れれば、この送電線路の周囲に設置された金属シースにも電圧が誘起されてシース線を通じて大地に流れるようになる。
【０００３】
ところが、このようにシース線に電流が流れるようになれば、送電線路には不必要な電力損失が発生する。このような電力損失は各々の相の負荷が不平衡の場合にはさらにひどくなり、安定的な電力電送を邪魔するようになって、電送線路内部の温度を上昇させて送電線路の劣化を誘発するなどのさまざまな問題点がある。また、このような電力の損失にもかかわらず、負荷電流測定時、計器（ｈｏｏｋ  ｏｎ  Ａｍ−ｍｅｔｅｒ）には負荷電流と循環電流の合計で現われるため、循環電流による送電線路の損失が正確に把握されない問題点もある。
【０００４】
したがって、最近では鉄心コアの周囲にコイルを多数回巻線したリアクターをシース線に連結して、普段はシース線に循環電流が発生しないようにして電力を安定的に供給する役目をし、地絡時など異常電圧発生時にはシース線の電位上昇を制限することにより、送電線路の異常電圧発生を抑制できるようにしたシース電流抑制装置が開発され、韓国特許出願第２００１−５３８３２号のシース線循環電流及び異常電圧抑制装置及び方法（特許文献１、公開日  ２００３．３．８）に詳細に開示されている。
【０００５】
しかし、このようなシース電流抑制装置は地絡事故が発生した時、過電流によって抑制装置が破損されて事故電流を流すことができなくなることによって、もっと大きな電力事故を発生する恐れがあり、同様に雷撃が侵入した時も抑制装置の絶縁が破壊されて電力事故を誘発するなどの問題点がある。その外にも、前記抑制装置を過度の電流に対してもある程度耐えるように製作するためには、サイズと重さなどが非常に大きくなって実際の電力系には、使いにくいなどの問題点がある。
【特許文献１】韓国特許公開第２００３−２０１４５号
【発明の開示】
【発明が解決しようとする課題】
【０００６】
本発明は、前記の問題点を解決するために考案された。本発明の目的はコンパクトに製作してコスト節減ができ設置が容易ながらも、地絡事故や雷撃侵入時にも抑制装置を保護すると共に事故電流を大地に円滑に流すようにすることにより、電力事故が発生することを防止できる地中ケーブルのシース電流抑制装置を提供することにある。
【課題を解決するための手段】
【０００７】
前記のような目的を実現するために本発明は、鉄心のまわり部にコイルを多数回巻線したリアクターを送電線路のシース線に連結設置したシース電流抑制装置において、前記リアクターの入力側に直列に連結設置するヒューズと、前記リアクターに並列に連結する避雷器を具備して構成したことを特徴とする。
【０００８】
前記ヒューズの容量は、５ｋＡ乃至２０ｋＡであることを特徴とする。
【０００９】
前記リアクター、ヒューズ及び避雷器は、外ケース内部に収納設置することを特徴とする。
【発明を実施するための最良の形態】
【００１０】
以下、本発明の好ましい実施例を添付図面を参照しながら説明する。また、本実施例は本発明の権利範囲を限定するものではなくて、ただ例示的に提示したものであり従来構成と等しい部分は等しい符号及び名称を使う。
【００１１】
図１は、本発明の実施例によるシース電流抑制装置の構成図である。図示したように、前記シース電流抑制装置は磁化特性によってシース電流を抑制するリアクター７が未図示の送電線路のシース線に連結され、該リアクター７の入力側には過電流に対してリアクターを保護するヒューズ４を直列に連結し、前記リアクター７と並列に避雷器２を連結する。該避雷器２を通じて事故電流が円滑に大地に流れるようにすることにより電力系の事故を防止できるようにしたものである。
【００１２】
前記リアクター７は、コイル５と鉄心６の磁化特性を利用して循環電流を抑制するもので、未図示のシース線と接地線の間に連結して設置する。前記鉄心６は、電気絶縁のためにワニスで絶縁含侵して、外ケース３の内部に設置して水分の浸透を防止できるように構成する。前記コイル５は、鉄心６の周囲部に多数回巻線したもので、入力端子１は送電線路側のシース線に連結し、出力端子１’は大地に接地した接地線に接続する。
【００１３】
前記ヒューズ４は、リアクター７の入力端子１に直列に連結して地絡事故などが発生しても事故電流がリアクター７に流入しないように遮断して抑制装置を保護するもので、その容量は  ５ｋＡ乃至２０ｋＡのものを利用することが好ましく、簡単に断線することがなくリアクターを安全に保護することができる。
【００１４】
前記避雷器２は、リアクター７に並列に連結して地絡事故や雷撃侵入時にこの避雷器２を通じて事故電流が大地に流れるようにすることにより、送電線路に電力事故が発生することを防止するためのものである。
【００１５】
このような避雷器２は、正常電圧状態では電流が流れないように高抵抗を持っているが、稲妻などが侵入した場合には導電性の電路になって抵抗が非常に小さくなって事故電流が円滑に流れるようにし、再び正常状態になれば高抵抗に戻るもので、発電所や変電所、送配電線路などにたくさん使われている。
【００１６】
以上の構成による本発明の実施例の作用を下記に説明する。
前記シース電流抑制装置は、シース線にリアクター７を連結設置し、普段はこのリアクター７のインピーダンスによってシース電流が流れることを抑制して送電線路の電力損失を減らすことができ、電力を安定して送ることができるようにする。
【００１７】
また、地絡事故や雷撃侵入時は、前記シース線にリアクター７の容量を超過する事故電流が流れるようになれば、リアクター７の入力端子１に直列に連結されたヒューズ４が断線してリアクター７に事故電流が流入することを遮断して抑制装置の破損を防止できる。
【００１８】
この時、シース線に侵入した事故電流はリアクター７に並列に連結された避雷器２を通じて大地に円滑に流れて送電線路に電力事故が発生さすることを防止する。
【００１９】
したがって、このようなシース電流抑制装置は、リアクター７に過電流が流入しないため、そのサイズ及び容量などを従来に比べて顕著に小さくしても安全に使用することができ、地中の送電線路に抑制装置を設置することが非常に易しくて、維持補修も便利な長所がある。
【産業上の利用可能性】
【００２０】
前記のような本発明は、シース線にリアクターの容量を越す過電流が誘起されても入力側に直列に連結されたヒューズが断線して過電流による抑制装置の破損を防止することができ、侵入した過電流はリアクターと並列に連結された避雷器を通じて大地に円滑に流れるので、送電線路に電力事故が発生することを防止できる。
【００２１】
また、前記シース電流抑制装置はその容量及びサイズを従来に比べて顕著に小さくしても安全に使うことができ、地中送電線路に設置することが非常に易しく、維持補修も便利な長所がある。
【図面の簡単な説明】
【００２２】
【図１】本発明の実施例によるシース電流抑制装置の構成図である。
【符号の説明】
【００２３】
１・・・入力端子、１’・・・出力端子、２・・・避雷器、３・・・外ケース、４・・・ヒューズ、５・・・コイル、６・・・鉄心、７・・・リアクター
【図１】
2005261178.tif 000003